【事件の表示】
　特願２００４−２３５８９９「コリメータ制御方法およびＸ線ＣＴ装置」拒絶査定不服審判事件〔平成１８年　２月２３日出願公開、特開２００６−　５１２３３〕について、次のとおり審決する。
【結　論】
　本件審判の請求は、成り立たない。
【理　由】
第１　手続の経緯
　本願は、平成１６年８月１３日の出願であって、拒絶理由通知に応答して平成２１年１月２８日付けで手続補正がなされたが、平成２１年４月３０日付けで拒絶査定がなされ、これに対し、平成２１年９月１１日に拒絶査定不服審判が請求されるとともに、同日付けで手続き補正がなされたものである。
第２　平成２１年９月１１日付けの手続補正についての補正却下の決定
［補正却下の決定の結論］
平成２１年９月１１日付けの手続補正（以下、「本件補正」という。）を却下する。
［理由］
１．本件補正前及び本件補正後の本願発明
　本件補正は、補正前（平成２１年１月２８日付け手続補正書参照）に
「【請求項１】
　Ｘ線源と、前記Ｘ線源から放射されたＸ線を成形するコリメータと、前記コリメータを制御する制御手段と、被検体を挟んで前記Ｘ線源および前記コリメータと対向するように配置されたＸ線検出器と、被検体を載置するテーブル装置と、前記被検体を体軸方向へ移動させて撮影を行うヘリカルスキャンによる投影データを収集する投影データ収集手段と、前記投影データに基づいてＣＴ画像を再構成する画像再構成手段と、を有するＸ線ＣＴ装置であって、
　前記投影データ収集手段は、前記テーブルの移動開始後の加速中及び前記テーブルの移動終了までの減速中に得られた投影データを収集するものであり、
　前記画像再構成手段は、前記テーブルの移動開始後の加速中及び前記テーブルの移動終了までの減速中に得られた投影データであって、前記体軸方向の座標を付加した投影データを用いて画像を再構成するものであり、
　前記制御手段は、前記テーブルの移動開始後の加速中にコリメータの開口を開き、前記テーブルの移動終了までの減速中にコリメータの開口を閉じるよう、ヘリカルスキャンの進行過程の体軸上の位置に応じて前記コリメータの開口の開度を変化させるものである
ことを特徴とするＸ線ＣＴ装置。
　【請求項２】
　前記体軸方向の座標は、前記テーブル装置の前記体軸方向の座標により求められるものであることを特徴とする請求項１に記載のＸ線ＣＴ装置。
　【請求項３】
　前記テーブル装置の前記体軸方向の座標は、エンコーダを用いて求められることを特徴とする請求項２に記載のＸ線ＣＴ装置。
　【請求項４】
　前記制御手段は、
　ヘリカルスキャンの開始位置ではコリメータの開口をヘリカルスキャンの進行方向における前半分が所定のコリメータ開口分のおよそ半分だけ開いて後半分が閉じた状態とし、
　ヘリカルスキャンの途中ではコリメータの開口をヘリカルスキャンの進行方向における前半分と後半分がともに所定のコリメータ開口分だけ開いた状態とし、
　ヘリカルスキャンの終了位置ではコリメータの開口をヘリカルスキャンの進行方向における前半分が閉じて後半分が所定のコリメータ開口分のおよそ半分だけ開いた状態とする
ことを特徴とする請求項１ないし請求項３のうちのいずれか一つに記載のＸ線ＣＴ装置。
　【請求項５】
　前記制御手段は、
　前記コリメータの閉じた状態から開いた状態への変化を連続的に行わせ、
　前記コリメータの開いた状態から閉じた状態への変化を連続的に行わせる、
ことを特徴とする請求項１ないし請求項４のうちのいずれか一つに記載のＸ線ＣＴ装置。
　【請求項６】
　前記テーブルの加速および減速はリニアである、
ことを特徴とする請求項１ないし請求項５のうちのいずれか一つに記載のＸ線ＣＴ装置。
　【請求項７】
　前記テーブルの加速および減速はノンリニアである、
ことを特徴とする請求項１ないし請求項５のうちのいずれか一つに記載のＸ線ＣＴ装置。
　【請求項８】
　前記Ｘ線検出器は多列Ｘ線検出器または平面Ｘ線検出器である、
ことを特徴とする請求項１ないし請求項７のうちのいずれか１つに記載のＸ線ＣＴ装置。
　【請求項９】
　前記画像再構成手段は３次元画像再構成法により画像再構成を行う、
ことを特徴とする請求項１ないし請求項８のうちのいずれか１つに記載のＸ線ＣＴ装置。
　【請求項１０】
　前記ヘリカルスキャンにおいて、前記テーブルの移動を、前記テーブルの移動開始後の加速後、直ちに前記テーブルの移動終了までの減速を行うことを特徴とする請求項１ないし請求項９のうちのいずれか一つに記載のＸ線ＣＴ装置。
　【請求項１１】
　前記Ｘ線検出器は、コリメータ位置検出チャネルを備え、
　前記制御手段は、前記コリメータ位置検出チャネルの出力から求められるコリメータ開閉値とコリメータ開閉目標値との差によるフィードバック信号を用いて前記コリメータを制御するものである
ことを特徴とする請求項１ないし請求項１０のうちのいずれか一つに記載のＸ線ＣＴ装置。」
とあったものを、
「【請求項１】
　Ｘ線源と、前記Ｘ線源から放射されたＸ線を成形するコリメータと、前記コリメータを制御する制御手段と、被検体を挟んで前記Ｘ線源および前記コリメータと対向するように配置されたＸ線検出器と、被検体を載置するテーブル装置と、前記被検体を体軸方向へ移動させて撮影を行うヘリカルスキャンによる投影データを収集する投影データ収集手段と、前記投影データに基づいてＣＴ画像を再構成する画像再構成手段と、を有するＸ線ＣＴ装置であって、
　前記投影データ収集手段は、前記テーブルの移動開始後の加速中及び前記テーブルの移動終了までの減速中に得られた投影データを収集するものであり、
　前記画像再構成手段は、前記テーブルの移動開始後の加速中及び前記テーブルの移動終了までの減速中に得られた投影データであって、前記体軸方向の座標を付加した投影データを用いて画像を再構成するものであり、
　前記制御手段は、Ｘ線放射前のコリメータの開口が閉じた状態から移動開始した前記テーブルの、移動開始後の加速中にコリメータの開口を開き、前記テーブルの、移動終了までの減速中にコリメータの開口を閉じるよう、ヘリカルスキャンの進行過程の体軸上の位置に応じて前記コリメータの開口の開度を変化させるものである
ことを特徴とするＸ線ＣＴ装置。
　【請求項２】
　前記体軸方向の座標は、前記テーブル装置の前記体軸方向の座標により求められるものであることを特徴とする請求項１に記載のＸ線ＣＴ装置。
　【請求項３】
　前記テーブル装置の前記体軸方向の座標は、エンコーダを用いて求められることを特徴とする請求項２に記載のＸ線ＣＴ装置。
　【請求項４】
　前記制御手段は、
　ヘリカルスキャンの開始位置ではコリメータの開口をヘリカルスキャンの進行方向における前半分が所定のコリメータ開口分のおよそ半分だけ開いて後半分が閉じた状態とし、
　ヘリカルスキャンの途中ではコリメータの開口をヘリカルスキャンの進行方向における前半分と後半分がともに所定のコリメータ開口分だけ開いた状態とし、
　ヘリカルスキャンの終了位置ではコリメータの開口をヘリカルスキャンの進行方向における前半分が閉じて後半分が所定のコリメータ開口分のおよそ半分だけ開いた状態とする
ことを特徴とする請求項１ないし請求項３のうちのいずれか一つに記載のＸ線ＣＴ装置。
　【請求項５】
　前記制御手段は、
　前記コリメータの閉じた状態から開いた状態への変化を連続的に行わせ、
　前記コリメータの開いた状態から閉じた状態への変化を連続的に行わせる、
ことを特徴とする請求項１ないし請求項４のうちのいずれか一つに記載のＸ線ＣＴ装置。
　【請求項６】
　前記テーブルの加速および減速はリニアである、
ことを特徴とする請求項１ないし請求項５のうちのいずれか一つに記載のＸ線ＣＴ装置。
　【請求項７】
　前記テーブルの加速および減速はノンリニアである、
ことを特徴とする請求項１ないし請求項５のうちのいずれか一つに記載のＸ線ＣＴ装置。
　【請求項８】
　前記Ｘ線検出器は多列Ｘ線検出器または平面Ｘ線検出器である、
ことを特徴とする請求項１ないし請求項７のうちのいずれか１つに記載のＸ線ＣＴ装置。
　【請求項９】
　前記画像再構成手段は３次元画像再構成法により画像再構成を行う、
ことを特徴とする請求項１ないし請求項８のうちのいずれか１つに記載のＸ線ＣＴ装置。
　【請求項１０】
　前記ヘリカルスキャンにおいて、前記テーブルの移動を、前記テーブルの移動開始後の加速後、直ちに前記テーブルの移動終了までの減速を行うことを特徴とする請求項１ないし請求項９のうちのいずれか一つに記載のＸ線ＣＴ装置。
　【請求項１１】
　前記Ｘ線検出器は、コリメータ位置検出チャネルを備え、
　前記制御手段は、前記コリメータ位置検出チャネルの出力から求められるコリメータ開閉値とコリメータ開閉目標値との差によるフィードバック信号を用いて前記コリメータを制御するものである
ことを特徴とする請求項１ないし請求項１０のうちのいずれか一つに記載のＸ線ＣＴ装置。」
と補正しようとするものである。
　
　上記補正前後の構成を対比すると、上記補正によって、補正前の請求項１の必須の構成である「制御手段」に関し、
「前記テーブルの移動開始後の加速中にコリメータの開口を開き、前記テーブルの移動終了までの減速中にコリメータの開口を閉じるよう、ヘリカルスキャンの進行過程の体軸上の位置に応じて前記コリメータの開口の開度を変化させるものである」を、
補正後の「Ｘ線放射前のコリメータの開口が閉じた状態から移動開始した前記テーブルの、移動開始後の加速中にコリメータの開口を開き、前記テーブルの、移動終了までの減速中にコリメータの開口を閉じるよう、ヘリカルスキャンの進行過程の体軸上の位置に応じて前記コリメータの開口の開度を変化させるものである」としようとするものである。
　
２．補正の適否
　しかしながら、願書に最初に添付した明細書、特許請求の範囲又は図面（以下、「当初明細書等」という。）には次のような記載がある。
(a) 「ヘリカルスキャンの開始位置ではコリメータの開口をヘリカルスキャンの進行方向におけるスライス厚から定められる所定のコリメータ開口幅の前半分が開いて後半分が閉じた状態とし、ヘリカルスキャンの途中ではコリメータの開口をヘリカルスキャンの進行方向における前半分と後半分がともに開いた状態とし、ヘリカルスキャンの終了位置ではコリメータの開口をヘリカルスキャンの進行方向における前半分が閉じて後半分が開いた状態とすることが、患者被曝を最小限にする点で好ましい。」（段落【０００７】参照。）
(b)「ステップS102では、コリメータを回転中心ＩＣの位置でz≧0の所だけを開いておく。この状態を図６の（Ａ）および図７に示す。なお、ｚの符号は、回転中心ＩＣに関し、ヘリカルスキャンが進行する方向を＋（前側）とし、その反対方向を−（後側）とする。」（段落【００２５】参照。）
(c)「このように、ヘリカルスキャンの開示時（「開始時」の誤記と認める。）においては開口の前半分だけを開いて後半分を閉じているので、その分だけ患者の被爆量を低減することができる。また、ヘリカルスキャンの終了時においては開口の後半分だけを開いて前半分を閉じているので、その分だけ患者の被爆量を低減することができる。これによって、患者の被曝を必要最小限にすることができる。」（段落【００４４】参照。）
(d)「後半分の閉じた状態から開いた状態への変化をヘリカルスキャンの体軸方向の進行の加速中に行わせ、前記前半分の開いた状態から閉じた状態への変化をヘリカルスキャンの体軸方向の進行の減速中に行わせるので、ヘリカルスキャンの能率を良くすることができる。」（段落【００４６】参照。）
　これらの記載からみて、一対の部材からなるコリメータの開口の半分を閉じ、残りの半分を開いた状態から、テーブルの加速中に閉じていた半分の開口を開いた状態に変化させる構成は記載されているものの、その他の開口を閉じた状態から、テーブルの加速中にコリメータの開口が開いた状態に変化させる構成は記載されておらず、また、それを示唆する記載もない。
　また、本件補正によって追加された上記構成は、当初明細書等の記載から自明な事項ではない。
　そうすると、本件補正は、当初明細書に記載された事項の範囲内においてしたものであるとはいえない。
　したがって、本件補正は、平成１８年法律第５５号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
３．本願発明
　平成２１年９月１１日付けの手続補正は、上記のとおり却下されることになったので、本願の請求項１〜１１に係る発明は、平成２１年１月２８日付け手続補正書により補正された特許請求の範囲の請求項１〜１１に記載された事項により特定されるとおりのものであって、その請求項１に係る発明（以下、「本願発明」という。）は、前記（２−１）の補正前の請求項１に記載されたとおりのものと認められる。
　
４．引用例
　これに対して、原査定の拒絶の理由に引用された、本願の出願の日前である平成１３年５月２９日に頒布された「特開２００１−１４５６２１号公報」（以下、「引用例」という。）には、図面とともに次の事項が記載されている。
　
(a) 「【００１２】〔作用〕次に、この発明に係るコーンビーム型放射線ＣＴ装置により断層撮影（ＣＴ撮影）を行う際の作用を説明する。請求項１のコーンビーム型放射線ＣＴ装置による断層撮影では、放射線照射手段と放射線検出手段とが被検体を挟んで被検体の体軸回りの向きへ被検体に対し相対的に回転し、被検体の体軸方向へは被検体に対し相対的に直進するとともに、放射線照射手段による被検体へのコーン状放射線ビームの照射に伴って放射線検出手段における２次元に広がる放射線検出面に被検体のＸ線透過像が投影されてＣＴ像再構成用の放射線検出信号が出力される。
【００１３】そして、請求項１のコーンビーム型放射線ＣＴ装置の場合、リーフ片位置制御手段により、被検体の体軸方向に往復移動可能に配設された放射線ビーム整形用のリーフ片の位置が放射線照射手段および放射線検出手段と被検体との間の相対的な直進と連動して制御され、相対的な直進の開始の際（つまり撮影開始の際）は、放射線ビームが後側半角分を欠如した前側半角コーンビームから全角コーンビームへと変化するとともに、相対的な直進の終了の際（つまり撮影終了の際）は、放射線ビームが全角コーンビームから前側半角分を欠如した後側半角コーンビームへと変化する。
【００１４】すなわち、この発明の装置の場合、相対的な直進の開始の際、放射線ビームが前側半角コーンビームから全角コーンビームへと変化する間は、放射線ビームの後側半角分の未拡張分だけ被検体の非撮影領域に当たる放射線ビームが従来に比べて制限されるとともに、相対的な直進の開始の際も、放射線ビームが全角コーンビームから後側半角コーンビームへと変化する間は、放射線ビームの前側半角分の既縮小分だけ被検体の非撮影領域に当たる放射線ビームが従来に比べて制限される。そして、このように非撮影領域に当たる放射線ビームが制限される分に応じて非撮影対象領域への放射線曝射量が抑えられる。」（段落【００１２】〜【００１４】）
　
 (b) 「【００１８】図１に示す実施例のＸ線ＣＴ装置は、被検体Ｍにコーン状Ｘ線ビームを照射するＸ線照射部１と、２次元に広がるＸ線検出面２ａを有するＸ線検出器２と、被検体Ｍを載置したままで被検体Ｍの体軸Ｚの方向へ往復移動可能な天板３とを備えていて、Ｘ線照射部１およびＸ線検出器２が被検体Ｍを挟んで被検体Ｍの体軸Ｚ回りの向きに回転するとともに、被検体Ｍの体軸Ｚの方向に相対的に直進するよう構成されているのに加え、コーン状Ｘ線ビームの照射に伴ってＸ線検出器２から出力されるＸ線検出信号に基づきＸ線ＣＴ像（Ｘ線断層像）用の画像再構成が行われる構成となっている。以下、実施例のＸ線ＣＴ装置の各部の構成をより具体的に説明する。
【００１９】Ｘ線照射部１は、図２に示すように、Ｘ線ビームを放射するＸ線管４と、Ｘ線管４の前方に配置されたＸ線ビーム整形用のコリメータ５とを備えている。Ｘ線検出器２はイメージインテンシファイア（Ｉ・Ｉ管）２ＡとＩ・Ｉ管２Ａの後部に付設されたＴＶカメラ２Ｂを備え、コーン状Ｘ線ビームの照射により生じた被検体の透過Ｘ線像がＩ・Ｉ管２Ａに投影されて検出されるとともに、ＴＶカメラ２Ｂから映像信号が出力される通常の構成の検出器である。
【００２０】そして、実施例装置の場合、Ｘ線照射部１およびＸ線検出器２は、図１に示すように、モータ６の回転力がプーリ７およびベルト８を介して伝達されるのに伴って回転する回転リング９に固定されていて、回転駆動部１０のコントロールによるモータ６の回転により回転リング９が連動して矢印ＲＡ，ＲＢの示す方向に回転するのに従って、Ｘ線照射部１とＸ線検出器２が被検体Ｍの体軸Ｚの周りを対向配置状態を保ったまま回転するよう構成されている。さらに、Ｘ線照射部１に関しては、高電圧発生器１２などを含む照射制御部１１のコントロールにより、管電圧・管電流等の設定照射条件に従ってコーン状Ｘ線ビームを照射する構成にもなっている。
【００２１】また、被検体載置用の天板３に関しては、撮影中、天板駆動部１３のコントロールにより、被検体Ｍを乗せたままで被検体Ｍの体軸Ｚの方向に天板３が正逆のいずれの方向にも直進するよう構成されている。したがって、Ｘ線照射部１およびＸ線検出器２の回転と天板３の直進との組み合わせにより、Ｘ線照射部１およびＸ線検出器２は、Ｘ線断層撮影の実行中、被検体Ｍの体軸Ｚの方向へ向けて被検体Ｍの体軸回りを相対的に螺旋状に前進しながらＸ線の照射・検出を行う（螺旋スキャンを行う）ことにより撮影が進行することになる。普通、Ｘ線照射部１およびＸ線検出器２が１回転する間の螺旋状の前進ピッチは、特定の寸法に限られるものではないが、例えばＸ線検出面２ａの体軸Ｚの方向の寸法の半分程度である。
【００２２】その他、ガントリＧの開口側縁には、被検体Ｍの位置決めなどに使われる投光器１４およびハンドスイッチ１５も設けられている。なお、回転駆動部１０によるＸ線照射部１およびＸ線検出器２の回転コントロールや、照射制御部１１によるＸ線ビームの照射コントロール、或いは、天板駆動部１３による天板３の移動コントロールなどは、操作卓１６からの入力操作等や撮影進行状況に応じて撮影制御部１７から適時に送出される指令信号に従って行われる構成となっている。
【００２３】さらに実施例のＸ線ＣＴ装置は、Ｘ線ビームの照射に伴ってＸ線検出器２から出力される映像信号を適当な段階でＡＤ変換したＸ線検出信号（Ｘ線画像信号）を記憶する検出信号メモリ１８と、検出信号メモリ１８に記憶されるＸ線検出信号に基づき３次元画像再構成処理を行う画像再構成部１９と、３次元画像再構成結果に従って得られたＸ線ＣＴ像を一時的に記憶するＣＴ像メモリ２０を備えている他、ＣＴ像メモリ２０に記憶されたＸ線ＣＴ像を画面表示する表示モニタ２１やフィルムに焼き付けて画像写真として出力する画像焼付け器（レーザ式イメージャー）２２なども備えている。
【００２４】続いて、実施例のＸ線ＣＴ装置を特徴づけているＸ線ビームを整形する機能を持つコリメータ５まわりの構成について詳しく説明する。コリメータ５は円環形状のガントリＧの内部に配設されており、図２に示すように、被検体Ｍの体軸Ｚの方向に向かい合うとともに体軸Ｚの方向に独立して往復移動可能な一対のリーフ片５Ａ，５Ｂを有する。リーフ片５Ａ，５Ｂが円筒曲面形状であるのは、ガントリＧの内に無理なく納まるようにするためである。これら両リーフ片５Ａ，５Ｂは先端縁両側に体軸Ｚの方向へ伸びる突出ピース５ａ，５ｂがそれぞれ付設されている一方、後端側にはモータ５Ｃ，５Ｄで回転するピニオン５Ｅ，５Ｆによって体軸Ｚの方向に往復移動させられるラック５Ｇ，５Ｈの先端が取り付けられていて、各モータ５Ｃ，５Ｄの回転によりラック５Ｇ，５Ｈが移動するのに伴ってリーフ片５Ａ，５Ｂの位置が独立して変化する構成となっている。
【００２５】一方、両リーフ片５Ａ，５Ｂの間には四角形の開口が形成される。この四角形の開口の大きさ・形は両リーフ片５Ａ，５Ｂの位置に従って変わる。他方、リーフ片５Ａ，５Ｂは突出ピース５ａ，５ｂも含めてＸ線遮蔽材料で形成されていて、Ｘ線管４から放射されたＸ線ビームは両リーフ片５Ａ，５Ｂの間に生じる四角形の開口を通過できるだけであるので、両リーフ片５Ａ，５Ｂの位置を制御して四角形の開口を必要なコーン状Ｘ線ビームの断面形状に対応した大きさと形に変化させることにより、Ｘ線ビームを後側半角分が欠如した前側半角コーンビームＣＢａや前側半角分が欠如した後側半角コーンビームＣＢｂまたは未欠如の全角コーンビームＣＢなどに整形する構成になっている。
【００２６】したがって、各リーフ片５Ａ，５Ｂはコーン状Ｘ線ビームの体軸Ｚの方向の形を規定し、各突出ピース５ａ，５ｂがコーン状Ｘ線ビームの体軸Ｚの方向と直角の方向の形を規定することになる。このように、実施例装置の場合、前側半角分および後側半角分のビーム整形のみならず全角コーンビームのためのビーム整形も全て行えるので、全角コーンビームのためのビーム整形を行うためのリーフ片を別途に設ける必要がない。なお、図２はリーフ片５Ａ，５ＢがＸ線ビームを前側半角分が欠如した後側半角コーンビームＣＢｂに整形した時の状態を示している。
【００２７】また、コリメータ５の場合、各リーフ片５Ａ，５Ｂの位置の制御は、撮影制御部１７から適時に送出される指令信号に従ってリーフ位置制御部２３が行うよう構成れている。以下、Ｘ線断層撮影の進行に伴ってリーフ位置制御部２３により行われるリーフ片５Ａ，５Ｂの位置制御を、図３ないし図５を参照しながら具体的に説明する。なお、図３および図４においては、撮影の際には被検体Ｍが体軸Ｚの方向とは逆に右から左へ直進してゆくので、撮影対象領域Ｍａに対するＸ線ビームの走査（スキャン）は左から右へ進むことから、以下の説明ではＸ線ビームにとっては左側が後側となり、右側が前側となる。
【００２８】先ず被検体Ｍの直進の開始の際は、図３（ａ）に示すように、後側のリーフ片５Ａの先端がＸ線照射部１の照射中心ＣＮの位置まで進出させられるとともに、前側のリーフ片５Ｂの先端が前側半角分を全く遮蔽しない位置まで後退させられていて、コーン状Ｘ線ビームは、後側半角分が全て遮蔽されて欠如した前側半角コーンビームＣＢａに整形されている。続いて、図３（ｂ）に示すように、被検体Ｍが右に直進するのと連動して、コーン状Ｘ線ビームの後側外縁が撮影対象領域Ｍａの先端上縁に常に一致するようにして、後側のリーフ片５Ａの先端だけが徐々に後退させられるので、欠如した後側半角分が拡がってゆく。やがて後側半角分が拡がり切って無欠如の完全な全角コーンビームＣＢに整形されると、後側のリーフ片５Ａは停止する。その間、前側のリーフ片５Ｂは停止したままである。したがって、Ｘ線ビームが前側半角コーンビームＣＢａから全角コーンビームＣＢへと変化する間は、Ｘ線ビームの後側半角分の未拡張分だけ被検体Ｍの非撮影領域Ｍｂに当たるＸ線ビームが従来に比べて制限されるので、Ｘ線ビームが制限された分に応じて非撮影対象領域ＭｂへのＸ線曝射量が従来よりも減少する。
【００２９】そして、全角コーンビームＣＢの状態で撮影が進み、被検体Ｍの直進の終了の際は、図４（ａ）に示すように、コーン状Ｘ線ビームの前側外縁が撮影対象領域Ｍａの後端上縁に達した後は、図４（ｂ）に示すように、被検体Ｍが右に直進するのと連動して、コーン状Ｘ線ビームの前側外縁が撮影対象領域Ｍａの後端上縁に常に一致するようにして、前側のリーフ片５Ｂの先端だけが徐々に進出させられるので、拡がっている前側半角分が縮まってゆく。そして、前側のリーフ片５Ｂの先端がＸ線照射部１の照射中心ＣＮの位置まで進出すると、コーン状Ｘ線ビームは前側半角分を欠如した後側半角コーンビームＣＢｂへ変化すると同時に撮影は終了することとなる。その間、後側のリーフ片５Ａは停止したままである。したがって、Ｘ線ビームが全角コーンビームＣＢから後側半角コーンビームＣＢｂへと変化する間は、Ｘ線ビームの前側半角分の縮小分だけ被検体Ｍの非撮影領域Ｍｂに当たるＸ線ビームが従来に比べて制限されるので、やはりＸ線ビームが制限された分に応じて非撮影対象領域ＭｂへのＸ線曝射量が従来よりも減少する。」（段落【００１８】〜【００２９】）
　
(c) 「【００３３】続いて、以上に述べた構成を有する実施例のＸ線ＣＴ装置によるＸ線断層撮影の進行プロセスを、図面を参照しながら説明する。図５は実施例装置によるＸ線断層撮影の進行状況を示す模式図、図６は実施例装置によるＸ線断層撮影の進行状況を示すフローチャートである。
〔ステップＳ１〕被検体Ｍを天板３に載せた後、天板３を移動させて被検体ＭをガントリＧの方へ進ませ、投光器１４およびハンドスイッチ１５を用いて被検体Ｍの撮影対象領域Ｍａの先端・後端の各位置を天板３の位置と対応付けて撮影制御部１７へ取り込む。
【００３４】〔ステップＳ２〕Ｘ線照射部１の照射中心へ後側のリーフ片５Ａの先端および撮影対象領域Ｍａの先端が来るようにリーフ片５Ａと天板３を調整（撮影初期位置にセット）しておいてから、操作卓１６の入力操作によりＸ線断層撮影を始める。
【００３５】〔ステップＳ３〕図５（ａ）に示すように、前側半角コーンビームＣＢａにより撮影対象領域Ｍａの先端の撮影が行われる。
【００３６】〔ステップＳ４〕Ｘ線照射部１とＸ線検出器２の回転と被検体Ｍの直進が継続的に行われるとともに、リーフ片５Ａの先端が後退するのに伴って、図５（ｂ）に示すように、全角コーンビームＣＢによる撮影へと移行してゆく。
【００３７】〔ステップＳ５〕両リーフ片５Ａ，５Ｂは停止したままで全角コーンビームＣＢによる撮影が、被検体Ｍが図５（ｃ）に示す状態に達するまでは継続する。
【００３８】〔ステップＳ６〕被検体Ｍが図５（ｃ）に示す状態に達した後は、前側のリーフ片５Ｂの先端が前進するのに伴って、後側半角コーンビームＣＢｂによる撮影へと移行してゆく。
【００３９】〔ステップＳ７〕図５（ｄ）に示すように、Ｘ線照射部１の照射中心に前側のリーフ片５Ｂの先端が達すると、後側半角コーンビームＣＢｂにより撮影対象領域Ｍａの後端の撮影が行われて、Ｘ線検出信号の採取が終了して被検体Ｍは天板３から降ろされる。
【００４０】〔ステップＳ８〕撮影対象領域Ｍａの撮影と平行して検出信号メモリ１８へ記憶されたＸ線検出信号に基づき画像再構成部１９により３次元画像再構成処理が行われるとともに、３次元画像再構成処理の結果に従って希望断面のＸ線ＣＴ像が作成されてＣＴ像メモリ２０へ記憶される。
【００４１】〔ステップＳ９〕ＣＴ像メモリ２０に記憶されたＸ線ＣＴ像を表示モニタ２１の画面に映し出して観察したり、あるいは、画像焼付け器２２によりフィルムに焼き付けて画像写真として出力したりすれば、Ｘ線断層撮影は完全に終わることになる。」（段落【００３３】〜【００４１】）
　
　そうすると、上記摘記事項(b)記載の「Ｘ線照射部１は、図２に示すように、Ｘ線ビームを放射するＸ線管４と、Ｘ線管４の前方に配置されたＸ線ビーム整形用のコリメータ５とを備えている。」及び「Ｘ線照射部１およびＸ線検出器２が被検体Ｍを挟んで被検体Ｍの体軸Ｚ回りの向きに回転するとともに、被検体Ｍの体軸Ｚの方向に相対的に直進するよう構成されている」から、「Ｘ線検出器２」は、被検体Ｍを挟んでＸ線管４およびコリメータ５と対向するように配置されることが読み取れる。
　
　また、上記摘記事項(b)記載の「Ｘ線照射部１およびＸ線検出器２は、Ｘ線断層撮影の実行中、被検体Ｍの体軸Ｚの方向へ向けて被検体Ｍの体軸回りを相対的に螺旋状に前進しながらＸ線の照射・検出を行う（螺旋スキャンを行う）ことにより撮影が進行」及び「Ｘ線ビームの照射に伴ってＸ線検出器２から出力される映像信号を適当な段階でＡＤ変換したＸ線検出信号（Ｘ線画像信号）を記憶する検出信号メモリ１８」から、「検出信号メモリ１８」は、被検体Ｍを体軸方向へ移動させて撮影を行う螺旋スキャンによるＸ線検出信号を記憶することが読み取れる。
　
　また、上記摘記事項(a)記載の「リーフ片位置制御手段により、被検体の体軸方向に往復移動可能に配設された放射線ビーム整形用のリーフ片の位置が放射線照射手段および放射線検出手段と被検体との間の相対的な直進と連動して制御され、相対的な直進の開始の際（つまり撮影開始の際）は、放射線ビームが後側半角分を欠如した前側半角コーンビームから全角コーンビームへと変化するとともに、相対的な直進の終了の際（つまり撮影終了の際）は、放射線ビームが全角コーンビームから前側半角分を欠如した後側半角コーンビームへと変化する。」、上記摘記事項(b)記載の「Ｘ線ビームの照射に伴ってＸ線検出器２から出力される映像信号を適当な段階でＡＤ変換したＸ線検出信号（Ｘ線画像信号）を記憶する検出信号メモリ１８」及び「被検体載置用の天板３に関しては、撮影中、天板駆動部１３のコントロールにより、被検体Ｍを乗せたままで被検体Ｍの体軸Ｚの方向に天板３が正逆のいずれの方向にも直進するよう構成されている。」並びに上記摘記事項(c)記載の「撮影対象領域Ｍａの撮影と平行して検出信号メモリ１８へ記憶されたＸ線検出信号に基づき画像再構成部１９により３次元画像再構成処理が行われる」から、（イ）撮影の開始から終了すなわちＸ線検出信号の記憶開始から終了の期間は、天板５の移動開始から終了までであること、及び、（ロ）画像再構成部１９は、天板５の移動開始から終了までに得られたＸ線検出信号を再構成することが各読み取れる。
　
　そして、上記摘記事項(b)の「被検体載置用の天板３に関しては、撮影中、天板駆動部１３のコントロールにより、被検体Ｍを乗せたままで被検体Ｍの体軸Ｚの方向に天板３が正逆のいずれの方向にも直進するよう構成されている。」、「Ｘ線照射部１およびＸ線検出器２は、Ｘ線断層撮影の実行中、被検体Ｍの体軸Ｚの方向へ向けて被検体Ｍの体軸回りを相対的に螺旋状に前進しながらＸ線の照射・検出を行う（螺旋スキャンを行う）ことにより撮影が進行する」、「先ず被検体Ｍの直進の開始の際は、図３（ａ）に示すように、後側のリーフ片５Ａの先端がＸ線照射部１の照射中心ＣＮの位置まで進出させられるとともに、前側のリーフ片５Ｂの先端が前側半角分を全く遮蔽しない位置まで後退させられていて、コーン状Ｘ線ビームは、後側半角分が全て遮蔽されて欠如した前側半角コーンビームＣＢａに整形されている。続いて、図３（ｂ）に示すように、被検体Ｍが右に直進するのと連動して、コーン状Ｘ線ビームの後側外縁が撮影対象領域Ｍａの先端上縁に常に一致するようにして、後側のリーフ片５Ａの先端だけが徐々に後退させられるので、欠如した後側半角分が拡がってゆく。」、及び、「全角コーンビームＣＢの状態で撮影が進み、被検体Ｍの直進の終了の際は、図４（ａ）に示すように、コーン状Ｘ線ビームの前側外縁が撮影対象領域Ｍａの後端上縁に達した後は、図４（ｂ）に示すように、被検体Ｍが右に直進するのと連動して、コーン状Ｘ線ビームの前側外縁が撮影対象領域Ｍａの後端上縁に常に一致するようにして、前側のリーフ片５Ｂの先端だけが徐々に進出させられるので、拡がっている前側半角分が縮まってゆく。」から、１対のリーフ片により構成されるコリメータの開口は、天板５の移動開始後に開き、天板５の移動終了までに閉じるように、螺旋スキャンの進行過程の体軸上の位置に応じてコリメータの開度を変化することが読み取れる。
　
　これらの記載事項によると、引用例には、次の発明(以下、「引用発明」という。)が記載されていると認められる。
　
「Ｘ線ビームを放射するＸ線管４と、Ｘ線ビーム整形用でありリーフ５Ａ，５Ｂを有するコリメータ５と、リーフ５A、５Bの位置の制御を行うリーフ位置制御部２３と、
被検体Ｍを挟んでＸ線管４およびコリメータ５と対向するように配置されたＸ線検出器２と、
被検体載置用の天板３と、被検体Ｍを体軸方向へ移動させて撮影を行う螺旋スキャンによるＸ線検出信号を記憶する検出信号メモリ１８と、
検出信号メモリ１８に記憶されるＸ線検出信号に基づき３次元画像再構成を行う画像再構成部１９と、を有するＸ線ＣＴ装置であって、
　検出信号メモリ１８は、天板５の移動開始から終了までに得られたＸ線検出信号を記憶するものであり、
　画像再構成部１９は、天板５の移動開始から終了までに得られたＸ線検出信号を再構成するものであり、
　リーフ位置制御部は２３は、天板５の移動開始後に開き、天板５の移動終了までに閉じるように、螺旋スキャンの進行過程の体軸上の位置に応じてコリメータの開度を変化させることを特徴とするＸ線ＣＴ装置。」
　
５．対比
　本願発明と引用発明とを対比する。
(a)　引用発明の「Ｘ線ビームを放射するＸ線管４」は、本願発明の「Ｘ線源」に、以下同様に、「被検体載置用の天板３」は、「被検体を載置するテーブル装置」に、「螺旋スキャン」は、「ヘリカルスキャン」に、各々相当する。
　
(b) 引用発明の「Ｘ線ビーム整形用でありリーフ５Ａ，５Ｂを有するコリメータ５」は、機能からみて、本願発明の「Ｘ線源から放射されたＸ線を成形するコリメータ」に相当する。また、リーフ５A、５Bはコリメータ５の一部であることから、引用発明の「リーフ５A、５Bの位置の制御を行うリーフ位置制御部２３」は、本願発明の「コリメータを制御する制御手段」に相当する。
　
(c)　引用発明の「Ｘ線検出信号」は、Ｘ線検出器から出力される測定データであるという点で本願発明の「投影データ」に相当する。また、引用発明の「Ｘ線検出信号を記憶する検出信号メモリ１８」は、その機能からみて、本願発明の「投影データを収集する投影データ収集手段」に相当する。
　
　以上、(a)〜(c)の考察から、両者は、
　
【一致点】
「Ｘ線源と、前記Ｘ線源から放射されたＸ線を成形するコリメータと、前記コリメータを制御する制御手段と、被検体を挟んで前記Ｘ線源および前記コリメータと対向するように配置されたＸ線検出器と、被検体を載置するテーブル装置と、前記被検体を体軸方向へ移動させて撮影を行うヘリカルスキャンによる投影データを収集する投影データ収集手段と、前記投影データに基づいてＣＴ画像を再構成する画像再構成手段と、を有するＸ線ＣＴ装置であって、
　前記投影データ収集手段は、前記テーブルの移動開始から移動終了までに得られた投影データを収集するものであり、
　前記画像再構成手段は、前記テーブルの移動開始から移動終了までに得られた投影データ用いて画像を再構成するものであり、
　前記制御手段は、前記テーブルの移動開始後にコリメータの開口を開き、前記テーブルの移動終了までにコリメータの開口を閉じるよう、ヘリカルスキャンの進行過程の体軸上の位置に応じて前記コリメータの開口の開度を変化させるものである
ことを特徴とするＸ線ＣＴ装置。」
である点で一致し、次の点で相違する。
　
【相違点１】
　投影データ収集手段が収集する投影データが、本願発明では、前記テーブルの移動開始後の加速中及び前記テーブルの移動終了までの減速中に得られた投影データであるに対し、引用発明では、テーブルの加速中や減速中に投影データを利用する旨の記載がない点。
　
【相違点２】
　画像再構成手段が、本願発明では、対軸方向の座標を付加した投影データを用いて画像を再構成するものであるのに対し、引用発明では、そのような記載がない点。
　
６．当審の判断
　上記【相違点１】について検討する。
　ヘリカルスキャン式Ｘ線ＣＴの技術分野において、被検体を載置したテーブルを対軸方向に移動させる際に、移動開始後の加速中及び移動終了までの減速中のヘリカルスキャンによる投影データを用いてＣＴ画像を再構成する技術は、周知の技術である。
　例えば、特開２００１−１１２７４７号公報（以下、「周知例１」という。）には、次の記載がある。
「【００２７】図１０は、撮影テーブル移動速度とＸ線管電流の時間変化を示すグラフである。期間ｔｓ−ｔ１では、撮影テーブル移動速度を“０”とし、定位置回転領域Ｃｓで定位置回転スキャンを行って、必要なファンビュー角度のデータを収集する。期間ｔ１−ｔ２では、ヘリカルピッチｐで決まる速度Ｖｒまで撮影テーブル移動速度を徐々に上げながらヘリカルスキャンを行ってデータを収集する。期間ｔ２−ｔ３では、ヘリカルピッチｐで決まる速度Ｖｒで撮影テーブル１０を移動しながらヘリカルスキャンを行ってデータを収集する。期間ｔ３−ｔ４では、速度“０”まで撮影テーブル移動速度を徐々に下げながらヘリカルスキャンを行ってデータを収集する。期間ｔ４−ｔｅでは、撮影テーブル移動速度を“０”とし、定位置回転領域Ｃｅで定位置回転スキャンを行って、必要なファンビュー角度のデータを収集する。Ｘ線管電流は、撮影テーブル移動速度に応じて調整し、ｚ軸方向のＸ線被曝量分布が均一になるようにする。なお、Ｘ線管電流が一定だと、定位置回転領域Ｃｓ，ＣｅでのＸ線被曝量が過大になってしまう。」（段落【００２７】参照。）
　また、テーブル移動を行う場合に、加速及び減速が必要なことは当然のことであり、引用例１において、ヘリカルスキャンによる撮影を行う領域としてテーブル移動の加速及び減速領域を排除する旨の記載もないことから、上記周知技術を引用発明に適用することに特段の阻害要因が有るということはできない。
　したがって、引用発明の投影データ収集手段及び画像再構成手段に対し、上記周知の技術を適用し、上記相違点１に係る本願発明の構成のようにすることは、当業者であれば容易に想到し得るものである。
　
　次に【相違点２】について検討する。
　ヘリカルスキャン式Ｘ線ＣＴの技術分野において、ＣＴ画像を再構成するために投影データを対軸方向の座標を付加した投影データを用いることは、周知の技術である。
　例えば、特開２０００−９３４２１号公報には、次の記載がある。
「（第２実施形態）第２実施形態は、第１実施形態とは異なり、図３及び図４示すように、投影データをサンプリングするとき、それに同期して実際の回転ベース４の回転角度Angle(t)をベース回転角度測定部２１で測定し、また寝台３の位置Ｚ(t) を寝台位置測定部２２で測定し、これら実測した回転ベース４の回転角度Angle(t)と寝台３の位置Ｚ(t) とを、つまり実測したサンプリング位置をシステム制御部２３から補間処理部２４に投影データ各々に対応させて伝える。この実測したサンプリング位置は、補間処理部２４と共に、データ保存部１４に送られ、再構成リトライのために投影データに付帯して記憶される。」（段落【００２７】参照。）
　したがって、引用発明の画像再構成手段に対し、上記周知の技術を付加し、上記相違点２に係る本願発明の構成のようにすることは、当業者であれば容易に想到し得るものである。
　
　そして、本願第１発明の奏する効果についても、引用例の記載事項及び上記周知技術に基づいて当業者が予測し得る範囲内のものである。
　
　なお、出願人は、審判請求書において、「しかしながら、刊行物２（当審注：周知例１に相当。）に記載された発明は、定位置回転スキャンとヘリカルスキャンとを混在させてデータを収集するというものであります。即ち、刊行物２においては、テーブルの加速減速区間のデータの収集は、定位置回転スキャンとヘリカルスキャンとを切り換える際に必然的に存在するテーブルの加速減速区間についてデータを収集すること記載されているのみであり、定位置回転スキャンにより、結果的にテーブル移動距離が少なくて済むということは考えられるものの、テーブルの移動開始後の加速中及び前記テーブルの移動終了までの減速中に得られた投影データを収集することでテーブル移動距離が短くなるものではありません。つまり、本願発明の「加速減速区間のデータ収集」と刊行物２の「加速減速区間のデータ収集」とは、その技術的意義が全く異なります。 
　このように、刊行物２における本願発明とはその技術的意義が全く異なる記載事項を、刊行物１に適用して本願発明の進歩性を否定された審査官のご認定は到底承服することができません。即ち、加速減速区間でのデータ収集によるテーブル移動距離の低減に関して教示されていない刊行物１と刊行物２とを組み合わせて本願発明とする契機が全く存在しません。そして、本願発明の「撮影前の加速減速による無駄なテーブル移動と無駄な被曝を無くした極めて能率的なヘリカルスキャンを行うことができる」という効果を勘案すれば、「天板の移動速度一定として上記撮影初期位置にセットするか又は、天板の移動速度を０として上記撮影初期位置にセットして撮影を開始するかは、当業者が適宜なしうる設計的事項」とは言えないことも明らかです。」なる主張を行っている。
　しかしながら、出願人の主張する「テーブル移動距離の低減」や「無駄なテーブル移動」の効果については、出願当初の明細書には記載がなく、前記主張は明細書の記載に基づかない主張であり、かつ、ヘリカルスキャン時のテーブル移動形態として定速または加速・減速移動の２種が存在し、かつ、その両者で測定を行う技術思想が出願時に周知のものである以上、加速・減速領域でのヘリカルスキャンを積極的に認めるか否かに技術的意義を求めることはできないと言わざるを得ず、上記出願人の主張は認められない。
　
７．むすび
　したがって，本願発明は，引用発明及び上記周知技術に基づいて当業者が容易に発明をすることができたものであるから，特許法第２９条第２項の規定により特許を受けることができない。
　
　そして、本願第１発明が特許を受けることができないものであるから、その他の請求項１ないし１１に係る発明について検討するまでなく、本願は拒絶すべきものである。
　
　よって、結論のとおり審決する。